(57)【要約】【課題】新規な睡眠導入剤を用いた合成樹脂枕用充填材を提供しようとする。【解決手段】ヘキサナール、ヘキセノールから選択される少なくとも１種を含む睡眠導入剤であり、該ヘキサナールと該ヘキセノールとの重量比が４：６〜６：４である前記睡眠導入剤である。また、前記睡眠導入剤が大気中へ徐放出可能に保持された合成樹脂枕用充填材である。さらに、前記睡眠導入剤が大気中へ徐放出可能に保持された合成樹脂枕用充填材を用いた寝所用の枕である。【選択図】図１
2008136821.tif 000002
【特許請求の範囲】
【請求項１】
ヘキセナール、ヘキセノールから選択される少なくとも１種から構成される睡眠導入剤を含む合成樹脂枕用充填材。
【請求項２】
ヘキセナールとヘキセノールから構成され、該ヘキセナールと該ヘキセノールとの重量比が４：６〜６：４である睡眠導入剤を含む合成樹脂枕用充填材。
【請求項３】
前記睡眠導入剤がシクロデキストリンに包摂されていることを特徴とする請求項１又は２に記載の合成樹脂枕用充填材。
【請求項４】
前記合成樹脂枕用充填材の合成樹脂がポリエステル、ポリエチレン、ポリプロピレン等熱可塑性樹脂であること又はエラストマー樹脂と熱可塑性樹脂の混合物であり、且つ、これらの合成樹脂枕用充填材の成型形状が中空パイプ、中空球殻体であることを特徴とする請求項１又は２に記載の合成樹脂枕用充填材。
【発明の詳細な説明】
【技術分野】
【０００１】  本発明は不眠症の改善に有効な枕用充填材に関する。
【背景技術】
【０００２】  睡眠に関する問題を抱え困っている人は女性２０．３％、男性１８．７％、全体で１９．６％であるとの厚生労働省の調査結果が発表されている。現代人の５人に１人が睡眠に関する悩みを抱えていることになる。【０００３】  睡眠による休養が不十分と感じている人は、特に２０〜４０歳代の働き盛りの年代に多いという別の調査結果もある。ありとあらゆる所でさまざまなストレスにさらされている現代人にとって、不眠は生活習慣病の一つであるともいわれている。【０００４】  いうまでもなく、睡眠は身体の休息は勿論のこと、脳が休息するための大切な時間でもある。脳の休息は精神的な疲労の回復に大切である。【０００５】  不眠症とは、睡眠が量的又は質的に不足して日常生活に支障をきたしたり、本人が大きなストレスを抱え込んでいるような状態をいう。なかなか寝付けない入眠障害、夜中に何度も目が覚めてしまう中途覚醒、睡眠時間の割りにぐっすり眠った感じがしない熟眠障害、朝早く目覚めてしまう早朝覚醒など、不眠にはいろいろのタイプがある。【０００６】  不眠の原因はさまざまであり、身体的要因、生理学的要因、心理学的要因、精神医学的要因、薬理学的要因に大別されるが、近年、精神的ストレスによる不眠が多くみられる。ストレスが続くと心理的な緊張不安から眠れなくなることがあり、こうした一時期的な心理学不眠がきっかけで不眠恐怖症に陥り、眠ろうと意識すればするほど眠れなくなるという精神医学的不眠を引き起こしてしまうことがある。【０００７】  深刻な睡眠障害は精神科、精神神経科、心療内科などの専門科を受診するのが望ましい。専門科では生活のアドバイスや、睡眠薬を処方したりされる。ただ、睡眠薬には副作用が伴うことに留意する必要がある。【０００８】  脳が深い眠りに入ると成長ホルモンが分泌され、この成長ホルモンは細胞の新陳代謝を促して皮膚や筋肉、骨などを成長さたり、修復する働きがある。心と身体の健康を保つために眠る必要がある。【０００９】  睡眠には浅い眠りのレム睡眠と、深い眠りのノンレム睡眠があり、一晩に４〜５回、一定のリズムで繰り返されている。ノンレム睡眠は入眠直後に表われ、眠りが深くなるに従って呼吸回数や脈拍も少なくなる。レム睡眠は身体が深く眠っているのに脳が起きているような状態の浅い眠りで、呼吸や脈拍は不規則であり、夢をみるのもレム睡眠の時である。【００１０】  ストレスはノンレム睡眠とレム睡眠の睡眠サイクル周期を短くし、睡眠のリズムを狂わせるともいわれている。【００１１】  こうした背景の下、快眠のための工夫がいろいろされている。香りを利用した精神のリラクゼーションはその代表的なものであり、エッセンシャルオイルによるアロマテラピーは一般的になりつつある。（例えば、特許文献１〔０００２〕参照）。【００１２】  香り剤としては、ラベンダー、オレンジ、カモミルなどが一般的であり、緑葉中に含まれる緑の香りとも呼ばれる青葉アルコールや青葉アルデヒドも効果的である。（例えば、特許文献２〔０００３〕、〔０００６〕参照）【００１３】  エッセンシャルオイルによるアロマテラピーを寝装品に応用する開発や（例えば、特許文献１〔０００１〕、特許文献２〔００１１〕参照）、緑の香りを枕シートに応用した製品も販売されている（例えば非特許文献１参照）。【００１４】  また、香り成分を徐放させる手段として、香り成分をマイクロカプセルに内包させることも行われている。（例えば、特許文献１〔００１９〕参照）。【００１５】  緑の香りとしてのヘキサナール及びヘキセノールを利用した製品開発も最近は活発化している（例えば、特許文献３〔０００９〕参照）【００１６】  緑の香りを含めて、香り剤の効果として期待されるのは、リラクゼーション効果であり、ストレス軽減効果であり、睡眠導入の作用効果を目的とするものではない（例えば、特許文献１〔０００１〕、〔００１３〕、特許文献２〔００１５〕参照）。
【特許文献１】特開２００４−２４４７５６号公報
【特許文献２】特開２００５−２９９０６６号公報
【特許文献３】特開２００３−２０１６６９号公報
【非特許文献】ｈｔｔｐ：／／ｋａｉｈａｔｕ．ｏｋｏｍａｒｉ．ｎｅｔ／ｍｉｄｏｒｉ−ｎｏ−ｋａｏｒｉ／
【発明の開示】
【発明が解決しようとする課題】
【００１７】  本発明は、新規な睡眠導入剤を用いた合成樹脂枕用充填材を提供しようとする。
【問題を解決するための手段】
【００１８】  本発明の要旨とするところは、ヘキサナール、ヘキセノールから選択される少なくとも１種を含む睡眠導入剤を複合した合成樹脂枕用充填材の提供に関わる。
【００１９】  前記導入剤はヘキサナールとヘキサノールとを含み得、該ヘキサナールと該ヘキサノールとの重量比が４：６〜６：４であり得る。
【００２０】  また、本発明の要旨とするところは、就寝時の枕に用いられる合成樹脂枕用充填材であって、前記睡眠導入剤が大気中へ放出可能に保持された合成樹脂枕用充填材を提供することにある。
【００２１】  合成樹脂枕用充填材の合成樹脂はポリエチレン、ポリプロピレン、ポリエステル等熱可塑性樹脂であり、また熱可塑性樹脂とエラストマーの混合物である。
【００２２】  前記合成樹脂枕用充填材である合成樹脂の形状は中空パイプ、中空球殻体に成型される。
【００２３】  前記睡眠導入剤は、徐放性を向上させるため、微粉シリカに含有させるか、包接剤等に包接されて前記合成樹脂枕用充填材の樹脂に練り込まれて保持され得る。
【００２４】  前記包接剤はシクロデキストリン、多孔性微粉末酸化ケイ素、特殊樹脂等包接性能を有する剤であり得る。
【００２５】  前記睡眠導入剤の含有量は重量％で合成樹脂枕用充填材の通常は０．０１〜２％であり、好ましくは０．１〜１％の間で適正に選択される。
【００２６】  さらに、本発明の要旨とするところは、前記睡眠導入剤を人の嗅覚系を介して作用させる睡眠導入方法の一つとして選ばれた枕に関する。
【００２７】  ここにおいて、前記睡眠導入方法とは睡眠の前に対象となる人の身辺に設置されている前記合成樹脂枕用睡眠導入剤加工充填材により、気化した前記睡眠導入剤を該人に嗅がせることをいう。
【００２８】  前記睡眠導入成分は、ヘキサナールとヘキセノールとが、重量比６：４〜４：６で混合されてなり得る。
【００２９】  本発明の睡眠導入剤を含む合成樹脂枕用充填材を用いた枕を使用することにより就寝時に寝付けない不眠が解消できる。
【発明を実施するための最良の形態】
【００３０】  本発明者らは永年にわたる研究により、青葉に含まれる香気成分（緑の香り、ｇｒｅｅｎ  ｏｄｏｒ）が、嗅覚系を介して、動物の自律性ストレス応答から回復を早めることを見出した（Ｐｈｙｓｉｏｌｏｇｙ＆Ｂｅｈａｖｉｏｒ８０（２００４）４８１−４８８）【００３１】  睡眠状態と脳はパターンの関係については定説がある。α波（８〜１３Ｈｚ）、β波（１４〜２０Ｈｚ）は覚醒状態時に現れ、θ波（４〜７Ｈｚ）、δ波（０．５〜３．５Ｈｚ）は睡眠状態に現れることが分かっている。（「生理学」真島英信著  文光堂１８５〜１８６ページ）β波ははっきりとした目覚め状態に対応し、α波はぼんやりとした目覚め状態に対応する。θ波はうとうと状態に対応し、δ波は深い睡眠状態に対応する。【００３２】  一般にヒノキチオイル等はα波の増加に効果があるとされていて、癒しの効果があるといわれているものの、睡眠状態に現れるこのθ波やδ波の増加には寄与が少ない。【００３３】  本発明者らのその後の研究において、青葉に含まれる香気成分が動物の睡眠導入成分として有効であることが見出された。【００３４】  さらには、前記香気成分のうち、ヘキサナール及びヘキセノールが動物の睡眠導入成分として特に有効であり、ヘキサナールとヘキセノールをほぼ等量配合すると、特に好ましいとの結論を得るに至った。【００３５】  睡眠導入の効果を得るためには、睡眠導入成分として、ヘキサナール又はヘキサノールを単独で、あるいはこれらを重量比略１：１で配合した睡眠導入剤を、あるいはこれらのいずれかを溶媒で希釈した睡眠導入剤を、就寝時に身辺またはその近傍に配されていることとなる用具または器具に、大気中へ放出可能に保持させておくことが有効である。【００３６】  このような用具または器具として本発明では合成樹脂枕用充填材をふさわしいものとして取り上げた。合成樹脂用枕充填材を就寝時に使用する際に付着又は含浸した睡眠導入中のヘキサナール及び／ヘキセノールは表面又は内部に付着された状態にあり、吸着されたヘキサナール及び／ヘキセノールの分子は自身の分子運動や周囲の空気の流れの影響で脱着して大気中へ放出される。【００３７】  枕用充填材中に存在するヘキサナール及び／ヘキサノールの分子が自身の分子運動や周囲の空気の流れの影響で樹脂から離脱して大気中に放出される。【００３８】  睡眠導入剤の複合割合は枕に使用される該充填材の量にもよるが、通常は０．０１〜２％であり、好ましくは０．１〜１％の間で適正に選択される。【００３９】  本発明の睡眠導入剤においては、ヘキサナールとヘキセノールとの配合重量比が４：６〜６：４の範囲であることが睡眠導入を得るうえで最も好ましい。【００４０】  睡眠導入成分として、ヘキサナールとヘキセノールのいずれかを単独で、あるいわ両者を配合したものを、あるいはこれらを溶媒で希釈したものを、包接剤であるシクロデキストリンとの混合、撹拌することにより包接剤に包接させたものが得られる。これを枕用充填材に練り込み、添加して徐放効果を高める。【００４１】  前記シクロデキストリンにおいて、β型シクロデキストリンを選択すると、容易に包接が可能であり、合成樹脂枕用充填材に容易に練り込みができ、徐放効果も大きい。【００��２】  β型シクロデキストリンに包接された睡眠導入剤は合成樹脂枕用充填材の樹脂体に容易に練り込みが可能であるが、合成樹脂体としてはポリエチレン樹脂、ポリプロピレン樹脂、ポリエステル樹脂等熱可塑性樹脂又はエラストマー樹脂、エラストマー樹脂と熱可塑性樹脂の混合樹脂等熱成型可能な樹脂である。【００４３】  睡眠導入剤を添加された合成樹脂枕用充填材は成型形状として中空パイプ及び中空球殻体にて成型される。中空パイプ及び中空球殻体は睡眠導入剤であるヘキサナール及びヘキセノールの分子が大気中に放出されやすいよう、表面積が最大限に設計されている。
【実施例１】
【００４４】  ヘキセノール５部をポリエチレン樹脂９５部に添加し、５重量％ヘキセノールマスターバッチを作成する。ポリエチレン樹脂に対しポリエチレンマスターバッチ２％を添加して、短軸押出機及びコルゲーターによりシリンダー温度１６０℃〜１８０℃、ノズル温度１７０℃にて球殻体を成型する。ヘキセノールを０．１重量％含む包接剤なしで直接練り込んだポリエチレン樹脂球殼体を合成樹脂枕用充填材として枕に挿入して睡眠導入効果を測定した。
【実施例２】
【００４５】ヘキセノール５部をβ−シクロデキストリン９５部に添加してヘキセノール５重量％包接パウダーを作成。次いでポリエチレン樹脂８０部にヘキセノール包接パウダーを２０部添加して２重量％マスターバッチ樹脂を作成する。ポリエチレン樹脂に対してマスターバッチ２％を添加し、短軸押出機及びコルゲーターによりシリンダー温度１６０〜１８０℃、ノズル温度１７０℃にて球殻体を成型する。ヘキセノール０．０２重量％を含むポリエチレン樹脂球殻体を合成樹脂枕用充填材として枕に挿入して睡眠導入の効果を測定した。
【実施例３】
【００４６】  ヘキサナール５部を包接剤β−シクロデキストリン９５部に添加してヘキサナール５重量％包接パウダーを作成。次いでポリエチレン樹脂８０部にヘキセサナール包接パウダー２０部を添加して１重量％ヘキサナール混マスターバッチ樹脂を作成する。ポリエチレン樹脂に対してマスターバッチ樹脂を２％添加し、短軸押出機及びコルゲーターによりシリンダー温度１６０℃〜１８０℃、ノズル温度１７０℃にて球殻体を成型する。作成したヘキサナールを０．０２重量％含むポリエチレン樹脂球殻体を合成樹脂充填材として枕に挿入して睡眠導入効果を測定した。
【実施例４】
【００４７】  ヘキセノール６：ヘキサナール４の割合で混合した溶液５部を包接剤β−シクロデキストリン９５部に添加して包接し、５重量％ヘキセノール／ヘキサナール混包接パウダーを作成する。次いでポリエチレン樹脂８０部にヘキセノール／ヘキサナール混包接パウダーを２０部添加して１重量％マスターバッチ樹脂を作成する。ポリエチレン樹脂に対しマスターバッチ樹脂２％添加し、短軸押出機及びコルゲーターによりシリンダー温度１６０℃〜１８０℃、ノズル温度１７０℃成型条件で球殻体を成型する。作成したヘキセノール／ヘキサナール混を０．０２重量％含むポリエチレン樹脂球殻体を合成樹脂枕用充填材として枕に挿入して睡眠導入効果を測定した。
【比較例１】
【００４８】  上記実施例で作成した睡眠導入剤を含む合成樹脂枕用充填材との比較充填材としてポリエチレン樹脂を用い、実施例と同様の成型条件にて中空パイプを作成し、睡眠導入効果を測定した。
【発明の効果】
前記実施例１から実施例４及び比較例１までの睡眠導入効果の測定をした結果を下表にまとめた。香りの持続性は官能検査により３カ月間以上継続実施し、睡眠に関するアンケートはモニター６人（男子３人、女子３人）を選び、１５日間の実用テストで睡眠状況のアンケートを実施し、得られたスコアの平均値を算出した。
2008136821.tif 000003
【産業上の利用可能性】
【００４６】  本発明は、睡眠導入成分としてヘキサナール及び／又はヘキセノールを選択するものであり、特に、ストレスが加わっているときに、あるいはストレスを感じているときほど、これらが如何に有効であるかが検証できた。ありとあらゆる所でさまざまなストレスにさらされている現代人にとって、重症の不眠症になる前に、本発明による合成樹脂枕用充填材はまさに福音となる。
【図面の簡単な説明】
【００４７】
【図１】「本発明による睡眠導入剤を練り込んだ充填材を挿入した枕の立体図である」
【図２】「本発明による睡眠導入剤を練り込んだ合成樹脂枕用充填材のうち球殻体として成型された充填材の立体図である」
【図３】「本発明による睡眠導入剤を練り込んだ合成樹脂枕用充填材のうち中空パイプとして成型された充填材の立体図である」
【符号の説明】
【００４８】１    合成樹脂充填材を挿入した枕
２    枕側地（繊維生地）
３    合成樹脂枕用充填材である球殻体成型品
４    合成樹脂枕用充填材である球殻体成型品の中空部分
５    合成樹脂枕用充填材である中空パイプ成型品
【図１】
2008136821.tif 000004
【図２】
2008136821.tif 000005
【図３】
2008136821.tif 000006